(57)【要約】【課題】カードの誤挿入によるピンコンタクトへのダメージを、簡便な構造で確実に回避することができるカード用コネクタを提供する。【解決手段】カード側のコンタクトに嵌合するためのピンコンタクトが配設されたコンタクト部と、前記コンタクト部の両側部より前記カードの挿脱方向に延設され、前記カードを装着して前記コンタクト部へ案内するカードガイド部とを有するハウジングを備えたカード用コネクタであって、前記ピンコンタクトが貫通される逃げ孔が配設され、前記逃げ孔の孔方向で摺動可能にハウジングに固定された絶縁プレートと、前記ピンコンタクトが前記逃げ孔から貫通露出しない位置で前記絶縁プレートの摺動をロックするロック機構を設け、前記カードが前記カードガイド部に装着されたときに、前記ロック機構を解除する構造にした。【選択図】　　　図１
2004031224.tif 000002
【特許請求の範囲】
【請求項１】
カード側のコンタクトに嵌合するためのピンコンタクトと、このピンコンタクトが配設されたコンタクト部と、前記コンタクト部の両側部より前記カードの挿脱方向に延設され、前記カードを装着して前記コンタクト部へ案内するカードガイド部とを有するハウジングを備えたカード用コネクタであって、
前記ピンコンタクトが貫通される逃げ孔が配設され、前記カードの挿脱方向で摺動可能にハウジングに固定された絶縁プレートと、
前記ピンコンタクトが前記逃げ孔から貫通露出しない位置で前記絶縁プレートの摺動をロックするロック機構を設け、
前記カードが前記カードガイド部に装着されたときに、前記ロック機構を解除する構造にしたことを特徴とするカード用コネクタ。
【請求項２】
カード側のコンタクトに嵌合するためのピンコンタクトと、このピンコンタクトが配設されたコンタクト部と、前記コンタクト部の両側部より前記カードの挿脱方向に延設され、前記カードを装着して前記コンタクト部へ案内するカードガイド部とを有するハウジングを備えたカード用コネクタであって、
前記ピンコンタクトが貫通される逃げ溝が配設され、前記カードの挿脱方向で回動可能にハウジングに固定された絶縁プレートと、
前記ピンコンタクトが前記逃げ溝から貫通露出しない位置で前記絶縁プレートの回動をロックするロック機構を設け、
前記カードが前記カードガイド部に装着されたときに、前記ロック機構を解除する構造にしたことを特徴とするカード用コネクタ。
【請求項３】
前記ロック機構は、
装着されるカード側に折曲された板状バネ部材の一端を、前記カードガイド部内に固定する共に、該カードガイド部の延設方向に沿って他端を前記絶縁プレートの背面の一部に係止した機構であることを特徴とする請求項１または２記載のカード用コネクタ。
【発明の詳細な説明】
【０００１】
【発明の属する技術分野】
本発明は、メモリカード等のカードを装着するカード用コネクタに関する。
【０００２】
【従来の技術】
従来、この種の分野の技術としては、例えば図１０（ａ），（ｂ）に示すようなものがあった。
【０００３】
図１０（ａ），（ｂ）は、従来のカード用コネクタの構造を示す図であり、同図（ａ）はその斜視図、同図（ｂ）はＡ−Ａ断面図である。
【０００４】
同図において、１００は、ピンコンタクト１１０が配列したコンタクト部を収納するブロック体であり、このブロック体１００の両側部には、カードガイド部１００ａ，１００ｂが設けられている。カードガイド部１００ａ，１００ｂには、カードを装着してコンタクト部へ案内するためのガイド溝１０１ａ，１０１ｂが設けられている。
【０００５】
このカード用コネクタは、メモリコネクタ規格（ＰＣカードやコンパクトフラッシュ（登録商標）カード）に準じて、単に樹脂製のブロック体１００にピンコンタクト１１０を圧入した構造となっている。
【０００６】
一方、外力からピンコンタクトを保護する機構を備えたカード用コネクタも知られている。
【０００７】
例えば特開２００１−２３７０２７号公報には、図１１に示すようにコンパクトフラッシュ（登録商標）カード（ＣＦカード）の脱着時に、カバー２１０ｆが枠体２０２から突出してピンコンタクト２１０ｅをカバーし、その後、カバー２１０ｆをその位置で位置決めさせるために、ロックボタン２１０ｐを開口部２０６ａの係止部に係止させる機構が開示されている。このロック手段（２１０ｐ，２０６）により、外力によってカバー２１０ｆが枠体２０２へ没入してピンコンタクト２１０ｅが変形するのを防止している。
【０００８】
【発明が解決しようとする課題】
しかしながら、上記従来のカード用コネクタには、次のような問題点があった。
【０００９】
近年、メモリカード、特にＣＦカードにおいては、図１２に示すように長方形のカード体５０の長手方向に、コネクタ側ピンコンタクトと嵌合するためのコンタクト孔５１が配設されたものが登場してきている。このようなカード寸法の長い側に嵌合口５０Ａを設けたカードは、使用形態として横長に使用することになる。
【００１０】
ところが、一般的にメモリカードはカード寸法の短い側に嵌合口を設けたものが多く、さらにはキャッシュカードのような一般的なカードであっても、使用形態としては縦長に使用するのが通常である。したがって、一般的にカード使用者は縦長使用に慣れているのが現状であり、このような状況下では、図１２のような横長使用タイプのメモリカードを装着するコネクタ（図１０に示した構造）に対して、図１３に示すように、カードを縦長使用と勘違いして誤挿入する可能性があった。
【００１１】
このようにカードを誤挿入すると、カードの挿入面にはコンタクト孔が無いため、コネクタ側のピンコンタクトに強い外力が加わり、ピンコンタクトの変形や破損が生じて接続不良の原因となる。これにより、コネクタや基板を交換する必要が生じ、コスト高を招いていた。
【００１２】
かかる問題を解決するものとして、上記図１１に示すようなピンコンタクト保護機構を有する構造のカード用コネクタが挙げられる。しかし、このカード用コネクタは、上述したように、カバー２１０ｆを位置決めさせてピンコンタクト２１０ｅを保護するためには、使用者によりロックボタン２１０ｐをいちいち手動操作する煩雑さがあるばかりでなく、使用者がロックボタン２１０ｐの操作を忘れる可能性があり、このような場合には、上記のように誤挿入されたカードの外力によって、カバー２１０ｆが枠体２０２へ没入し、上記同様にピンコンタクトの変形や破損が発生する。
【００１３】
本発明は、上述の如き従来の問題点を解決するためになされたもので、その目的は、カードの誤挿入によるピンコンタクトへのダメージを、簡便な構造で確実に回避することができるカード用コネクタを提供することである。
【００１４】
【課題を解決するための手段】
上記目的を達成するために、請求項１の発明であるカード用コネクタでは、カード側のコンタクトに嵌合するためのピンコンタクトと、このピンコンタクトが配設されたコンタクト部と、前記コンタクト部の両側部より前記カードの挿脱方向に延設され、前記カードを装着して前記コンタクト部へ案内するカードガイド部とを有するハウジングを備えたカード用コネクタであって、前記ピンコンタクトが貫通される逃げ孔が配設され、前記カードの挿脱方向で摺動可能にハウジングに固定された絶縁プレートと、前記ピンコンタクトが前記逃げ孔から貫通露出しない位置で前記絶縁プレートの摺動をロックするロック機構を設け、前記カードが前記カードガイド部に装着されたときに、前記ロック機構を解除する構造にしたことを特徴とする。
【００１５】
請求項２の発明であるカード用コネクタでは、カード側のコンタクトに嵌合するためのピンコンタクトと、このピンコンタクトが配設されたコンタクト部と、前記コンタクト部の両側部より前記カードの挿脱方向に延設され、前記カードを装着して前記コンタクト部へ案内するカードガイド部とを有するハウジングを備えたカード用コネクタであって、前記ピンコンタクトが貫通される逃げ溝が配設され、前記カードの挿脱方向で回動可能にハウジングに固定された絶縁プレートと、前記ピンコンタクトが前記逃げ溝から貫通露出しない位置で前記絶縁プレートの回動をロックするロック機構を設け、前記カードが前記カードガイド部に装着されたときに、前記ロック機構を解除する構造にしたことを特徴とする。
【００１６】
請求項３の発明であるカード用コネクタでは、請求項１または２の発明において、前記ロック機構は、装着されるカード側に折曲された板状バネ部材の一端を、前記カードガイド部内に固定する共に、該カードガイド部の延設方向に沿って他端を前記絶縁プレートの背面の一部に係止した機構であることを特徴とする。
【００１７】
上記構成によれば、前記カードをカードガイド部に沿って挿入すると、前記板状バネ部材の他端が前記絶縁プレートの背面の一部からはずれ、前記絶縁プレートが摺動あるいは回動可能となる。
【００１８】
【発明の実施の形態】
以下、本発明の実施の形態を図面に基づいて説明する。
【００１９】
［第一実施形態］
図１（ａ），（ｂ）は、本発明の第一実施形態に係るカード用コネクタを示す図であり、同図（ａ）は、その斜視図、同図（ｂ）はＡ−Ａ断面図である。
【００２０】
このカード用コネクタは、ブロック体１０と、ブロック体１０の両側部よりカードの挿脱方向に延設されたカードガイド部１０ａ，１０ｂとが一体形成された樹脂製のハウジングで構成されている。ブロック体１０内部には、カード側のコンタクトに嵌合するためのピンコンタクト３０が複数配設されたコンタクト部が収納され、またカードガイド部１０ａ，１０ｂ内には、カードを装着してコンタクト部へ案内するためのガイド溝１１ａ，１１ｂが形成されている。
【００２１】
さらに、ブロック体１０内部には、図２に示すように、ピンコンタクト３０が貫通される逃げ孔２１が配設されたＰＢＴ，ＰＣ，ＬＣＰ，ＰＰＳ等の樹脂で作られた絶縁プレート２０が配置されている。この樹脂プレート２０は、複数のコイルスプリング１３を介在させてブロック体１０の内壁面１０ｃに固定され、これによって逃げ孔２１の孔方向、つまりカードの挿脱方向に所定の範囲で摺動可能に固定される。
【００２２】
そして、ガイド溝１１ａ，１１ｂ内には、装着されるカード側に中央部が折曲された金属製の板状バネ部材１２ａ，１２ｂの一端が固定され、この板状バネ部材１２ａ，１２ｂが、該カードガイド部１０ａ，１０ｂの延設方向に沿ってその各他端１２ａ−１を樹脂プレート２０の背面切欠部２２に係止して樹脂プレート２０を支持するように配置されている。すなわち、板状バネ部材１２ａ，１２ｂの先端部１２ａ−１，１２ｂ−１が樹脂プレート２０背面に回り込むような形状で湾曲を成しており、その湾曲部が切欠部２２に係止する。これによって、図１（ｂ）に示すように、ピンコンタクト３０が逃げ孔２１から貫通露出しない位置で樹脂プレート２０の摺動をロックするロック機構が構成される。
【００２３】
次に、本実施形態のカード用コネクタによるカード挿脱動作について、図３（ａ），（ｂ），（ｃ）を参照しつつ説明する。
【００２４】
まず、ＣＦカード５０がカードガイド部１０ａ，１０ｂに装着される前は、図３（ａ）に示すように、板状バネ部材１２ａ，１２ｂの先端部１２ａ−１，１２ｂ−１が樹脂プレート２０の背面切欠部２２に係止して樹脂プレート２０の摺動がロックされた状態にある。
【００２５】
このロック状態から、ＣＦカード５０が挿入されて該カード５０の先端部が板状バネ部材１２ａ，１２ｂに当接し、さらにＣＦカード５０が押し込まれると、板状バネ部材１２ａ，１２ｂの先端部１２ａ−１，１２ｂ−１がカードの挿脱方向に延びて、係止していた樹脂プレート２０の背面切欠部２２から離脱する。つまり樹脂プレート２０のロック状態が解除されることになる。
【００２６】
その結果、樹脂プレート２０は、挿入されるＣＦカード５０の先端面に押されて、コイルスプリング１３の付勢力に抗して摺動され、図３（ｂ）に示すように、ピンコンタクト３０が逃げ孔２１より貫通露出しＣＦカード５０のコンタクト孔５１に嵌合されて、ＣＦカード５０とカード用コネクタとの電気的接続がなされる。
【００２７】
このようにしてカード用コネクタに装着されたＣＦカード５０を引き抜く際には、ＣＦカード５０の引き抜き度合に合わせて、まずコイルスプリング１３の付勢力により樹脂プレート２０が元のロック位置まで摺動され、さらにカードが引き抜かれると、図３（ｃ）に示すように、元のロック位置に戻った樹脂プレート２０の背面切欠部２２に板状バネ部材１２ａ，１２ｂの先端部１２ａ−１，１２ｂ−１が係止して、自動的に樹脂プレート２０の摺動がロックされる。
【００２８】
したがって、図４に示すように、本実施形態のカード用コネクタにカードを縦長で誤挿入しても、カードが板状バネ部材１２ａ，１２ｂに当接することがなく板状バネ部材１２ａ，１２ｂが作用しない。その結果、樹脂プレート２０はロックされた状態を維持し、ピンコンタクト３０が逃げ孔２１より貫通露出しないため、ピンコンタクトの変形や破損を防止することができる。
【００２９】
［第二実施形態］
図５（ａ），（ｂ）は、本発明の第二実施形態に係るカード用コネクタを示す図であり、同図（ａ）は、その斜視図、同図（ｂ）は要部断面図である。また、図６（ａ），（ｂ）は、本実施形態に係るカード用コネクタの断面構造を示す図であり、同図（ａ）は第一の構造、同図（ｂ）は第二の構造を示している。
【００３０】
このカード用コネクタは、ブロック体６０と、ブロック体６０の両側部よりカードの挿脱方向に延設されたカードガイド部６０ａ，６０ｂとが一体形成された樹脂製のハウジングで構成されている。ブロック体６０内部には、カード側のコンタクトに嵌合するためのピンコンタクト８０が複数配設されたコンタクト部が収納され、またカードガイド部６０ａ，６０ｂ内には、カードを装着してコンタクト部へ案内するためのガイド溝６１ａ，６１ｂが形成されている。
【００３１】
さらに、ブロック体６０には、図７に示すように、ピンコンタクト８０が貫通される逃げ溝７１が配設されたＰＢＴ，ＰＣ，ＬＣＰ，ＰＰＳ等の樹脂で作られた絶縁プレート７０が配置されている。すなわち、この樹脂プレート７０の両端部には、回転運動用のリブ７２がそれぞれプレート本体と一体に形成され、このリブ７２を図５（ｂ）に示すようにブロック体６０に形成された受け溝６０ｃに軽圧入することで、樹脂プレート７０がカードの挿脱方向に所定の範囲で回動可能に固定される。
【００３２】
そして、図６（ａ）に示すように、ガイド溝６１ａ，６１ｂ内には、装着されるカード側に中央部が折曲された金属製の板状バネ部材６２ａ，６２ｂの一端が固定され、この板状バネ部材６２ａ，６２ｂが、該カードガイド部６０ａ，６０ｂの延設方向に沿ってその各他端６２ａ−１を樹脂プレート７０の背面切欠部７３に係止して樹脂プレート７０を支持するように配置されている。すなわち、板状バネ部材６２ａ，６２ｂの先端部６２ａ−１が樹脂プレート７０背面に回り込むような形状で湾曲を成しており、その湾曲部が切欠部７３に係止する。これによって、図６（ａ）に示すように、ピンコンタクト８０が逃げ溝７１から貫通露出しない位置で樹脂プレート７０の回動をロックするロック機構が構成される。
【００３３】
なお、図６（ｂ）に示す構造は、樹脂プレート７０の真下のブロック体６０底部に溝６０ｄを設けた構造であり、このような構造によれば、樹脂プレート７０の縦幅を長くすることができ、ピンコンタクト８０の配列が多数列である場合などに有効である。
【００３４】
次に、本実施形態のカード用コネクタによるカード挿脱動作について、図８（ａ），（ｂ），（ｃ）を参照しつつ説明する。
【００３５】
まず、ＣＦカード５０がカードガイド部６０ａ，６０ｂに装着される前は、図８（ａ）に示すように、板状バネ部材６２ａ，６２ｂの先端部６２ａ−１，６２ｂ−１が樹脂プレート７０の背面切欠部７３に係止して樹脂プレート７０の回動がロックされた状態にある。
【００３６】
このロック状態から、ＣＦカード５０が挿入されて該カード５０の先端部が板状バネ部材６２ａ，６２ｂに当接し、さらにＣＦカード５０が押し込まれると、板状バネ部材６２ａ，６２ｂの先端部６２ａ−１，６２ｂ−１がカードの挿脱方向に延びて、係止していた樹脂プレート７０の背面切欠部７３から離脱する。つまり樹脂プレート７０のロック状態が解除されることになる。
【００３７】
その結果、樹脂プレート７０は、挿入されるＣＦカード５０の先端面に押されて回動し、図８（ｂ）に示すように、ピンコンタクト８０が逃げ溝７１より貫通露出しＣＦカード５０のコンタクト孔５１に嵌合されて、ＣＦカード５０とカード用コネクタとの電気的接続がなされる。
【００３８】
このようにしてカード用コネクタに装着されたＣＦカード５０を引き抜く際には、ＣＦカード５０の引き抜き度合に合わせて、まず樹脂プレート７０が元のロック位置まで回動され、さらにカードが引き抜かれると、図８（ｃ）に示すように、元のロック位置に戻った樹脂プレート７０の背面切欠部７３に板状バネ部材６２ａ，６２ｂの先端部６２ａ−１，６２ｂ−１が係止して、自動的に樹脂プレート７０の回動がロックされる。
【００３９】
したがって、図９に示すように、本実施形態のカード用コネクタにカードを縦長で誤挿入しても、カードが板状バネ部材６２ａ，６２ｂに当接することがなく板状バネ部材６２ａ，６２ｂが作用しない。その結果、樹脂プレート７０はロックされた状態を維持し、ピンコンタクト８０が逃げ溝７１より貫通露出しないため、ピンコンタクトの変形や破損を防止することができる。
【００４０】
【発明の効果】
以上詳細に説明したように本発明によれば、カードをカードガイド部に沿って挿入した場合のみ、板状バネ部材の他端がピンコンタクトを保護するための絶縁プレートの背面の一部からはずれ、絶縁プレートが摺動あるいは回動可能となる構成となっているので、カードの誤挿入によるピンコンタクトへのダメージを、簡便な構造で確実に回避することが可能になる。
【図面の簡単な説明】
【図１】本発明の第一実施形態に係るカード用コネクタを示す図である。
【図２】第一実施形態の樹脂プレートの構造を示す図である。
【図３】第一実施形態のカード用コネクタによるカード挿脱動作を示す図である。
【図４】第一実施形態においてカード誤挿入の様子を示す図である。
【図５】本発明の第二実施形態に係るカード用コネクタを示す図である。
【図６】第二実施形態に係るカード用コネクタの断面構造を示す図である。
【図７】第二実施形態の樹脂プレートの構造を示す図である。
【図８】第一実施形態のカード用コネクタによるカード挿脱動作を示す図である。
【図９】第二実施形態においてカード誤挿入の様子を示す図である。
【図１０】従来のカード用コネクタの構造を示す図である。
【図１１】従来の他のカード用コネクタの構造を示す図である。
【図１２】ＣＦカードの外観構造を示す図である。
【図１３】従来コネクタにおいてカード誤挿入の様子を示す図である。
【符号の説明】
１０，６０　ブロック体
１０ａ，１０ｂ，６０ａ，６０ｂ　カードガイド部
１１ａ，１１ｂ，６１ａ，６１ｂ　ガイド溝
１２ａ，１２ｂ　板状バネ部材
１３　コイルスプリング
２０，７０　樹脂プレート
２１，７１　逃げ孔
２２，７３　背面切欠部
３０，８０　ピンコンタクト
６０ｃ　受け溝
７２　回転運動用のリブ
【図１】
2004031224.tif 000003
【図２】
2004031224.tif 000004
【図３】
2004031224.tif 000005
【図４】
2004031224.tif 000006
【図５】
2004031224.tif 000007
【図６】
2004031224.tif 000008
【図７】
2004031224.tif 000009
【図８】
2004031224.tif 000010
【図９】
2004031224.tif 000011
【図１０】
2004031224.tif 000012
【図１１】
2004031224.tif 000013
【図１２】
2004031224.tif 000014
【図１３】
2004031224.tif 000015